【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
遊技球が流下する遊技領域が設けられた遊技盤と、
前記遊技領域に設けられ遊技球が進入可能な始動領域と、
前記始動領域への遊技球の進入を可能とする開状態、または、前記始動領域への遊技球の進入を不可能もしくは開状態よりも前記始動領域への遊技球の進入を困難とする閉状態に変移する始動可変入賞装置と、
前記始動領域に遊技球が進入したことを条件として、遊技者に有利な特別遊技の実行可否を決定する特別遊技実行決定手段と、
前記特別遊技実行決定手段によって前記特別遊技の実行を可能とする決定がなされたことを条件として、当該特別遊技を実行する特別遊技実行手段と、
前記遊技領域に設けられ遊技球が進入可能な進入領域と、
前記進入領域に遊技球が進入したことを条件として、前記始動可変入賞装置を開状態に変移させるか否かを決定するための乱数を取得するとともに、当該取得した乱数を記憶部に記憶する乱数取得手段と、
予め設定された変動開始条件の成立により、前記記憶部に記憶された乱数を読み出して、前記始動可変入賞装置を開状態に変移する当たり結果、もしくは、前記始動可変入賞装置を閉状態に維持するハズレ結果のいずれかを抽選によって導出する開放抽選手段と、
前記開放抽選手段によって抽選結果が導出されると、当該抽選結果を確定させるまでの時間である変動時間を設定する変動時間設定手段と、
前記変動時間設定手段によって設定された前記変動時間を計時する計時手段と、
前記開放抽選手段によって前記当たり結果が導出されるとともに、前記変動時間設定手段によって設定された前記変動時間が経過すると、前記始動可変入賞装置を開状態に制御する始動可変入賞装置制御手段と、
前記記憶部に記憶されている乱数が前記開放抽選手段によって読み出されて決定される抽選結果を、当該開放抽選手段が当該乱数を読み出すよりも前に事前判定するとともに、当該事前判定結果を記憶する事前判定手段と、
前記事前判定手段によって導出される事前判定結果に基づいて、前記記憶部に記憶されたいずれかの乱数を対象保留とし、当該対象保留が前記開放抽選手段によって読み出されて導出される抽選結果を示唆する示唆演出の実行可否を決定する示唆演出実行決定手段と、
前記示唆演出実行決定手段によって前記示唆演出の実行が決定された場合に、当該示唆演出を、当該示唆演出の対象保留が前記開放抽選手段によって読み出されるよりも前のいずれかのタイミングで実行する示唆演出実行手段と、
前記開放抽選手段によって前記記憶部に記憶された乱数が読み出されて抽選結果が導出されるとともに、当該抽選結果を確定させるまでの前記変動時間が前記変動時間設定手段によって設定された場合に、当該乱数に基づいて導出された事前判定結果に基づいて、当該抽選結果を報知する報知演出を、前記変動時間設定手段によって設定された前記変動時間の計時中に実行する報知演出実行手段と、を備えたことを特徴とする遊技機。
【請求項２】
遊技の進行状況に応じて、前記事前判定手段による前記事前判定を禁止する禁止期間が設けられており、
前記事前判定手段は、
前記禁止期間中に前記記憶部に乱数が記憶された場合には、当該記憶部に記憶された乱数に基づく事前判定を実行せず、
前記報知演出実行手段は、
前記開放抽選手段によって前記記憶部に記憶された乱数が読み出されて抽選結果が導出された場合に、当該読み出された乱数についての事前判定結果が記憶されていなければ、前記報知演出を不実行とすることを特徴とする請求項１記載の遊技機。
【請求項３】
少なくとも、前記開放抽選手段が前記当たり結果を所定の確率で導出する第１の遊技状態、および、前記第１の遊技状態よりも前記開放抽選手段が前記当たり結果を高確率で導出する第２の遊技状態のいずれかの遊技状態に設定され、
前記開放抽選手段は、設定されている遊技状態に応じて前記抽選処理を実行し、
前記事前判定手段は、
遊技状態が前記第１の遊技状態に設定されているときに前記記憶部に乱数が記憶されると、当該乱数についての事前判定結果を導出し、遊技状態が前記第２の遊技状態に設定されているときに前記記憶部に乱数が記憶された場合には、前記禁止期間中であるとして、当該記憶部に記憶された乱数に基づく事前判定を不実行とすることを特徴とする請求項２記載の遊技機。
【手続補正２】
【補正対象書類名】明細書
【補正対象項目名】０００８
【補正方法】変更
【補正の内容】
【０００８】
上記課題を解決するために、本発明の遊技機は、遊技球が流下する遊技領域が設けられた遊技盤と、前記遊技領域に設けられ遊技球が進入可能な始動領域と、前記始動領域への遊技球の進入を可能とする開状態、または、前記始動領域への遊技球の進入を不可能もしくは開状態よりも前記始動領域への遊技球の進入を困難とする閉状態に変移する始動可変入賞装置と、前記始動領域に遊技球が進入したことを条件として、遊技者に有利な特別遊技の実行可否を決定する特別遊技実行決定手段と、前記特別遊技実行決定手段によって前記特別遊技の実行を可能とする決定がなされたことを条件として、当該特別遊技を実行する特別遊技実行手段と、前記遊技領域に設けられ遊技球が進入可能な進入領域と、前記進入領域に遊技球が進入したことを条件として、前記始動可変入賞装置を開状態に変移させるか否かを決定するための乱数を取得するとともに、当該取得した乱数を記憶部に記憶する乱数取得手段と、予め設定された変動開始条件の成立により、前記記憶部に記憶された乱数を読み出して、前記始動可変入賞装置を開状態に変移する当たり結果、もしくは、前記始動可変入賞装置を閉状態に維持するハズレ結果のいずれかを抽選によって導出する開放抽選手段と、前記開放抽選手段によって抽選結果が導出されると、当該抽選結果を確定させるまでの時間である変動時間を設定する変動時間設定手段と、前記変動時間設定手段によって設定された前記変動時間を計時する計時手段と、前記開放抽選手段によって前記当たり結果が導出されるとともに、前記変動時間設定手段によって設定された前記変動時間が経過すると、前記始動可変入賞装置を開状態に制御する始動可変入賞装置制御手段と、前記記憶部に記憶されている乱数が前記開放抽選手段によって読み出されて決定される抽選結果を、当該開放抽選手段が当該乱数を読み出すよりも前に事前判定するとともに、当該事前判定結果を記憶する事前判定手段と、前記事前判定手段によって導出される事前判定結果に基づいて、前記記憶部に記憶されたいずれかの乱数を対象保留とし、当該対象保留が前記開放抽選手段によって読み出されて導出される抽選結果を示唆する示唆演出の実行可否を決定する示唆演出実行決定手段と、前記示唆演出実行決定手段によって前記示唆演出の実行が決定された場合に、当該示唆演出を、当該示唆演出の対象保留が前記開放抽選手段によって読み出されるよりも前のいずれかのタイミングで実行する示唆演出実行手段と、前記開放抽選手段によって前記記憶部に記憶された乱数が読み出されて抽選結果が導出されるとともに、当該抽選結果を確定させるまでの前記変動時間が前記変動時間設定手段によって設定された場合に、当該乱数に基づいて導出された事前判定結果に基づいて、当該抽選結果を報知する報知演出を、前記変動時間設定手段によって設定された前記変動時間の計時中に実行する報知演出実行手段と、を備えたことを特徴とする。
【手続補正３】
【補正対象書類名】明細書
【補正対象項目名】０００９
【補正方法】変更
【補正の内容】
【０００９】
また、遊技の進行状況に応じて、前記事前判定手段による前記事前判定を禁止する禁止期間が設けられており、前記事前判定手段は、前記禁止期間中に前記記憶部に乱数が記憶された場合には、当該記憶部に記憶された乱数に基づく事前判定を実行せず、前記報知演出実行手段は、前記開放抽選手段によって前記記憶部に記憶された乱数が読み出されて抽選結果が導出された場合に、当該読み出された乱数についての事前判定結果が記憶されていなければ、前記報知演出を不実行とするとよい。